(57)【特許請求の範囲】
【請求項１】
負圧に保持されているガス冷却室の壁部に貫通状に取り付けた水噴霧ノズルからガス冷却室内に導入された高温の排ガスに水を噴霧して排ガスの温度を低下させるようにした排ガス減温塔の前記水噴霧ノズル周囲の壁面に付着・堆積したダストを除去する簡易ダスト除去装置であって、前記簡易ダスト除去装置は、ガス冷却室の壁部に形成したノズル取付け孔に挿着されて水噴霧ノズルが着脱自在に挿着されるノズル取付け用管台に、水噴霧ノズルに換えて着脱自在に挿着される筒状のガイド体と、ガイド体内にその軸線方向へスライド調整自在に挿通された筒状の支持体と、支持体内に回転自在且つ軸線方向へ移動自在に挿通された回転軸と、回転軸の先端部に揺動可能に取り付けられ、自重により下方へ折れ曲がって水噴霧ノズル周囲の壁面に沿う掻き取り位置を取り得る長尺状の掻き取り板と、回転軸の基端部に揺動可能に取り付けられ、回転軸及び掻き取り板を回転操作する操作位置と回転軸及び掻き取り板を回転操作しない非操作位置とを取り得る操作ハンドルとから成り、前記操作ハンドルの回転軸側に取り付けられる基端部に、掻き取り板が掻き取り位置にある状態で操作ハンドルを操作位置にしたときには回転軸を基端部方向へスライドさせて掻き取り位置にある掻き取り板の基端部を支持体の先端部端面側へ押圧して掻き取り板を掻き取り位置にロックすると共に、操作ハンドルを非操作位置にしたときには掻き取り板のロックが解除されるカム板を設けたことを特徴とする簡易ダスト除去装置。
【発明の詳細な説明】
【技術分野】
【０００１】
本発明は、主にごみ焼却処理施設等に設置したごみ焼却炉や溶融炉、ボイラ設備等から排出された高温の排ガスに水を噴霧して排ガスの温度を低下させるようにした排ガス減温塔のガス冷却室の壁面に付着・堆積したダストを除去するのに用いられるものであり、特に、ガス冷却室内に水を噴霧する水噴霧ノズル周囲の壁面に付着・堆積したダストをガス冷却室の外側から除去できるようにした簡易ダスト除去装置の改良に関するものである。
【背景技術】
【０００２】
一般に、ごみ焼却炉や溶融炉等から排出された高温の排ガスは、バグフィルター等の集塵装置に於ける捕集効率の向上やダイオキシン類の生成を抑制するため、所定の温度にまで減温されてからバグフィルター等の集塵装置へ供給され、ここで無害化されてクリーンガスとなった後、誘引通風機により吸引されて煙突から大気中へ放出されている。
【０００３】
ごみ焼却炉等から排出された高温の排ガスを減温する場合、水の噴霧により排ガスの温度を低下させるようにした排ガス減温塔が広く用いられている。
この排ガス減温塔は、排ガス入口、ガス冷却室、排ガス出口及び複数の水噴霧ノズル等を備えており、排ガス入口を経てガス冷却室内に導入された高温の排ガスに複数の水噴霧ノズルから水を噴霧し、水の顕熱及び蒸発潜熱を利用して排ガスの温度を所定の温度にまで低下させるようにしたものである。
【０００４】
ところで、排ガス減温塔に於いては、ガス冷却室内に導入された排ガス中のダストがガス冷却室の水噴霧ノズル周囲の壁面に付着すると共に、付着したダストが時間の経過に伴って成長し、水噴霧ノズルからの噴霧に悪影響を及ぼし、排ガスを所定の温度にまで減温することができなくなると云う問題があった。又、水噴霧ノズルからの噴霧水が成長したダストに当たってドレンとなり、このドレンがガス冷却室の壁面を濡らして下方に流下することによって、ダストの付着が増大するだけでなく、壁面が浸食されると云う問題もあった。
【０００５】
そこで、ガス冷却室の水噴霧ノズル周囲の壁面に付着・堆積したダストを除去するノズル部清掃装置が提案されている（例えば、特許文献１参照）。
即ち、前記ノズル部清掃装置２１は、図３及び図４に示す如く、ガス冷却室２２の水噴霧ノズル（図示省略）周囲の壁面に付着・堆積したダストＤを除去する際に水噴霧ノズルの換わりにガス冷却室２２の壁部２３に取り付けられるものであり、ガス冷却室２２の壁部２３に形成したノズル取付け孔２３ａに挿着した外筒２４及び内筒２５に挿着されるフランジ２６ａ付のガイドケース２６と、ガイドケース２６に進退移動自在且つ回転自在に支持された筒状の駆動軸２７と、駆動軸２７の先端部に揺動自在に取り付けられ、駆動軸２７から延長する伸長方向と駆動軸２７から曲がってガス冷却室２２の壁面に対して平行となる曲げ方向とに亘って揺動するダスト掻取り刃２８と、駆動軸２７の基端部に取り付けられ、駆動軸２７及びダスト掻取り刃２８を回転操作する回転ハンドル２９と、ダスト掻取り刃２８を伸長方向と曲げ方向とに位置決めする揺動駆動手３０段等から構成されている。
更に、揺動駆動手段３０は、ダスト掻取り刃２８の基端部に回動可能に連結された連結棒３０ａと、連結棒３０ａの基端部に回動可能に連結されたセット棒３０ｂと、セット棒３０ｂの基端部に形成した雄ねじ３０ｂ′にセット棒３０ｂの軸線方向へ進退移動自在に螺合され、駆動軸２７の基端部端面に当接する固定金具３０ｃと、セット棒３０ｂの雄ねじ３０ｂ′に螺合したロックナット３０ｄ等から成り、固定金具３０ｃを回転操作してセット棒３０ｂの端部に移動させ、この状態でセット棒３０ｂをガス冷却室２２内側へ押し出すことによって、ダスト掻取り刃２８を伸長方向に保持することができ、又、セット棒３０ｂをガス冷却室２２外側へ引き出し、固定金具３０ｃを回転操作して駆動軸２７の基端部端面に押し付けることによって、ダスト掻取り刃２８を曲げ方向に保持固定することができるように構成されている。
【０００６】
而して、前記ノズル部清掃装置２１によれば、伸長方向に保持されたダスト掻取り刃２８を揺動駆動手段３０によりガス冷却室２２の内壁面と平行になるように曲げてその位置で保持固定し、この状態で回転ハンドル２９により駆動軸２７及びダスト掻取り刃２８を回転させることによって、水噴霧ノズル周囲の壁面に付着・堆積したダストＤを掻き落すができる。
【０００７】
然し乍ら、前記ノズル部清掃装置２１に於いては、ダスト掻取り刃２８を伸長方向と曲げ方向とに位置決めする揺動駆動手段３０が連結棒３０ａ、セット棒３０ｂ、固定金具３０ｃ及びロックナット３０ｄ等から構成されているため、ノズル部清掃装置２１自体の部品点数が増えてコストの高騰及び組立の煩雑化等を招くと云う問題があった。然も、ダスト掻取り刃２８を伸長方向又は曲げ方向へ保持固定する際には、セット棒３０ｂに螺着した固定金具３０ｃ及びロックナット３０ｄを何十回も回転操作してセット棒３０ｂに対して移動させなければならず、ダスト掻取り刃２８の伸長方向又は曲げ方向への保持固定を迅速且つ簡単に行えず、操作性及び取扱性に劣ると云う問題があった。
更に、ノズル部清掃装置２１に於いては、駆動軸２７の外周面に形成した雄ねじ２７ａをガイドケース２６のフランジ２６ａに形成した雌ねじ２６ｂに螺合させ、駆動軸２７の回転より駆動軸２７及びダスト掻取り刃２８が雄ねじ２７ａ及び雌ねじ２６ｂのピッチ分だけ前進又は後退するように構成されているため、水噴霧ノズル周囲の壁面に付着・堆積したダストＤを掻き落す際に、ダスト掻取り刃２８が回転しながら壁面に付着・堆積しているダストＤ層に表面側から徐々に食い込んで行ってダストＤを掻き落すことになり、ダストＤの掻き落し作業に時間が掛かると云う問題があった。
【特許文献１】特開平５−２６１３４３号公報
【発明の開示】
【発明が解決しようとする課題】
【０００８】
本発明は、このような問題点に鑑みて為されたものであり、その目的は、部品点数を削減できてコストの低減及び組立の簡略等を図れると共に、操作性及び取扱性に優れ、然も、ガス冷却室の水噴霧ノズル周囲の壁面に付着・堆積したダストをガス冷却室の外側から迅速に除去できるようにした簡易ダスト除去装置を提供することにある。
【課題を解決するための手段】
【０００９】
上記目的を達成するために、本発明の請求項１の発明は、負圧に保持されているガス冷却室の壁部に貫通状に取り付けた水噴霧ノズルからガス冷却室内に導入された高温の排ガスに水を噴霧して排ガスの温度を低下させるようにした排ガス減温塔の前記水噴霧ノズル周囲の壁面に付着・堆積したダストを除去する簡易ダスト除去装置であって、前記簡易ダスト除去装置は、ガス冷却室の壁部に形成したノズル取付け孔に挿着されて水噴霧ノズルが着脱自在に挿着されるノズル取付け用管台に、水噴霧ノズルに換えて着脱自在に挿着される筒状のガイド体と、ガイド体内にその軸線方向へスライド調整自在に挿通された筒状の支持体と、支持体内に回転自在且つ軸線方向へ移動自在に挿通された回転軸と、回転軸の先端部に揺動可能に取り付けられ、自重により下方へ折れ曲がって水噴霧ノズル周囲の壁面に沿う掻き取り位置を取り得る長尺状の掻き取り板と、回転軸の基端部に揺動可能に取り付けられ、回転軸及び掻き取り板を回転操作する操作位置と回転軸及び掻き取り板を回転操作しない非操作位置とを取り得る操作ハンドルとから成り、前記操作ハンドルの回転軸側に取り付けられる基端部に、掻き取り板が掻き取り位置にある状態で操作ハンドルを操作位置にしたときには回転軸を基端部方向へスライドさせて掻き取り位置にある掻き取り板の基端部を支持体の先端部端面側へ押圧して掻き取り板を掻き取り位置にロックすると共に、操作ハンドルを非操作位置にしたときには掻き取り板のロックが解除されるカム板を設けたことに特徴がある。
【発明の効果】
【００１０】
本発明の簡易ダスト除去装置は、回転軸の基端部に取り付けられる揺動操作可能な操作ハンドルの基端部にカム板を設け、操作ハンドルを揺動操作したときにカム板により掻き取り板を掻き取り位置にロック又は掻き取り板のロックを解除できるようにしているため、従来のノズル部清掃装置のように連結棒ａ、セット棒、固定金具及びロックナットから成る複雑な構造の揺動駆動手段を必要とすることがなく、部品点数を削減できてコストの低減及び組立の簡略化を図れる。
又、本発明の簡易ダスト除去装置は、操作ハンドルを揺動操作するだけで掻き取り板を掻き取り位置にロックしたり、或いは掻き取り板のロックを解除したりすることができるため、掻き取り板のロック及び解除を簡単且つ容易に行え、操作性及び取扱性に極めて優れている。
更に、本発明の簡易ダスト除去装置は、回転軸及び掻き取り板等を支持する支持体がノズル取付け用管台に挿着したガイド体にスライド調整自在に挿通されているため、水噴霧ノズル周囲の壁面に付着・堆積したダストを除去する際に、支持体をガス冷却室の外方側へスライドさせて掻き取り位置にある掻き取り板を水噴霧ノズル周囲の壁面に当接させることができ、この状態で回転軸及び掻き取り板を回転させることによって、水噴霧ノズル周囲の壁面に付着・堆積したダストを一気に掻き落すことができ、ダストの掻き落し作業を短時間で行える。
そのうえ、本発明の簡易ダスト除去装置は、ノズル取付け用管台への取り付け及びノズル取付け用管台からの取り外しをガス冷却室の外側から行えるため、ごみ焼却炉等の運転中にはガス冷却室内が負圧に保持されていることとも相俟って、ごみ焼却炉等の運転を停止することなく、ガス冷却室の外側から水噴霧ノズル周囲の壁面に付着・堆積したダストを除去することができる。
【発明を実施するための最良の形態】
【００１１】
以下、本発明の実施の形態を図面に基づいて詳細に説明する。
図１及び図２は本発明の実施の形態に係る簡易ダスト除去装置１を示し、当該簡易ダスト除去装置１は、ごみ焼却炉や溶融炉、ボイラ設備等から排出された高温の排ガスに水を噴霧して排ガスの温度を低下させるようにした排ガス減温塔のガス冷却室２の壁部３に着脱自在に取り付けられるものであり、排ガスに水を噴霧する水噴霧ノズル（図示省略）が着脱自在に挿着されるノズル取付け用管台４に水噴霧ノズルに換えて取り付けられ、ガス冷却室２の外側から水噴霧ノズル周囲の壁面に付着・堆積したダストを除去できるようにしたものである。
【００１２】
尚、水噴霧ノズル又は簡易ダスト除去装置１が取り付けられるノズル取付け用管台４は、ガス冷却室２の壁部３に形成したノズル取付け孔３ａに挿着された筒部４ａ及び筒部４ａの外側寄りの端部に設けたフランジ部４ｂとから成る。このノズル取付け用管台４は、その筒部４ａに開閉弁５を介設したパージ用空気供給管６が接続されており、パージ用空気をノズル取付け用管台４の開口から噴出させ、水噴霧ノズルの冷却と水噴霧ノズルへのダストの付着を防止できるようになっている。
又、排ガス減温塔の排ガス出口側には、ガスダクトを介してバグフィルター等の集塵装置、誘引通風機及び煙突（何れも図示省略）等が順次接続されている。そのため、排ガス減温塔のガス冷却室２の圧力は、誘引通風機により負圧に保持されている。
【００１３】
本発明の実施の形態に係る簡易ダスト除去装置１は、図１及び図２に示す如く、ノズル取付け用管台４に着脱自在に挿着される筒状のガイド体７と、ガイド体７内にガイド体７の軸線方向へスライド調整自在に挿通された筒状の支持体８と、支持体８内に回転自在且つ軸線方向へ移動自在に挿通された回転軸９と、回転軸９の先端部（ガス冷却室２側の端部）に揺動可能に取り付けた掻き取り板１０と、回転軸９の基端部（ガス冷却室２外方側の端部）に揺動可能に取り付けた操作ハンドル１１とから構成されている。
【００１４】
具体的には、前記ガイド体７は、ノズル取付け用管台４の筒部４ａに遊嵌状態で挿入される筒部７ａと、この筒部７ａの外周面に設けたフランジ部７ｂとから成り、筒部７ａをノズル取付け用管台４の筒部４ａに挿入し、フランジ部７ｂをノズル取付け用管台４のフランジ部４ｂにボルト等の緊締具（図示省略）を介して固定することによって、ノズル取付け用管台４に取り付けられている。このガイド体７の筒部７ａには、後述する支持体８をガイド体７側へ固定して位置決めするための位置決めボルト１２が螺合されている。
【００１５】
前記支持体８は、内筒１３及び外筒１４から成る二重筒構造に形成されており、内筒１３が外筒１４に対して回転できるように構成されている。
即ち、支持体８は、ノズル取付け用管台４よりも長めに形成された内筒１３と、内筒１３の周囲に間隔を空けて配置された外筒１４と、内筒１３及び外筒１４の先端部間（ガス冷却室２側の端部間）に設けた内側の滑り軸受１５と、内筒１３及び外筒１４の基端部間（ガス冷却室２外方側の端部間）に設けた外側の滑り軸受１６とから成り、内側の滑り軸受１５及び外側の滑り軸受１６によって、内筒１３が外筒１４に対して回転できるようになっている。この支持体８は、ガイド体７内にガイド対７の軸線方向へスライド調整自在に挿通されており、ガイド体７に設けた位置決めボルト１２を締め付けることによって、ガイド体７側ヘ固定されて位置決めされるようになっている。
【００１６】
前記内側の滑り軸受１５及び外側の滑り軸受１６は、何れも内筒１３の両端部に夫々同心状に固定した内輪１５ａ，１６ａと、外筒１４の両端部に夫々同心状に固定した外輪１５ｂ，１６ｂと、内輪１５ａ，１６ａと外輪１５ｂ，１６ｂとの間に介設したライナー１５ｃ，１６ｃとから構成されている。
又、外側の滑り軸受１６には、内筒１３を抜け止めするための抜け止め板１７が設けられている。この抜け止め板１７は、外輪１６ｂの外側端面にボルト等（図示省略）により固定されており、内輪１６ａの外周面に形成した環状溝１６ａ′に係止されて内筒１３の軸線方向への移動を阻止している。
更に、外側の滑り軸受１６の内輪１６ａの外側端面には、操作ハンドル１１の基端部に設けたカム板１１ｃの一部分が挿入係止される二股状の係止突起１６ａ″が突出形成されていると共に、外側の滑り軸受１６の外輪１６ｂの外周面には、簡易ダスト除去装置１を簡単且つ容易に持ち運べるように棒状の取っ手１８が着脱自在に取り付けられている。
【００１７】
前記回転軸９は、その両端部が支持体８の両端から突出するように支持体８の長さよりも長い断面形状が円形の棒状に形成されており、内側の滑り軸受１５の内輪１５ａ及び外側の滑り軸受１６の内輪１６ａに嵌合され、両内輪１５ａ，１６ａと一緒に回転し且つ両内輪１５ａ，１６ａに対して軸線方向へ移動できるようになっている。
又、回転軸９の両端部は、掻き取り板１０及び操作ハンドル１１が夫々揺動可能に取り付けられるように二股状に形成されている。
【００１８】
前記掻き取り板１０は、長尺状に形成されており、その基端部側（図１の右側端部）を回転軸９の先端部に形成した二股部分に挿入し、回転軸９の二股部分及び掻き取り板１０の基端部にピン１９を挿着することによって、回転軸９の先端部に揺動可能に取り付けられている。この掻き取り板１０は、回転軸９に対して一直線状になる直線位置（図１に示す位置）と回転軸９の回転によりピン１９が水平姿勢になったときに自重により下方へ折れ曲がって水噴射ノズル周囲の壁面に沿う掻き取り位置（図２に示す位置）とを取り得るようになっている。
【００１９】
前記操作ハンドル１１は、棒状の軸部１１ａと、軸部１１ａの一端部に直角に取り付けたグリップ部１１ｂと、軸部１１ａの他端部に取り付けたカム板１１ｃとから成り、カム板１１ｃの一部分を回転軸９の基端部に形成した二股部分に挿入し、回転軸９の二股部分及びカム板１１ｃにピン２０を挿着することによって、回転軸９の基端部に揺動可能に取り付けられている。この操作ハンドル１１は、回転軸９及び掻き取り板１０を回転操作する操作位置（図２に示す位置）と回転軸９及び掻き取り板１０を回転操作しない非操作位置（図１に示す位置）とに亘って揺動自在となっており、カム板１１ｃの一部が外側の滑り軸受１６の内輪１６ａに形成した二股状の係止突起１６ａ″に挿入係止されている。その結果、操作位置にある操作ハンドル１１を回転させたときには、回転軸９及び掻き取り板１０が回転すると共に、両滑り軸受１５，１６の内輪１５ａ，１６ａ及び両内輪１５ａ，１６ａに固定した内筒１３が回転軸９及び掻き取り板１０と一緒に回転することになる。
又、操作ハンドル１１のカム板１１ｃは、掻き取り板１０が掻き取り位置にある状態で操作ハンドル１１を操作位置に揺動操作したときには回転軸９を基端部方向へスライドさせて掻き取り位置にある掻き取り板１０の基端部を支持体８の先端部端面（内側の滑り軸受１５の内輪１５ａ端面）側へ押圧して掻き取り板１０を掻き取り位置にロックすると共に、操作ハンドル１１を非操作位置に揺動操作したときには掻き取り板１０のロックが解除されるような形状に形成されている。
【００２０】
尚、簡易ダスト除去装置１を構成するガイド体７、支持体８の内筒１３及び外筒１４、回転軸９、掻き取り板１０等は、何れも排ガス中の水分と酸性ガス成分（ＳＯｘやＨＣｌ等）による腐食を懸念してステンレス材等の耐食性及び耐熱性等に優れた金属材により形成されている。
【００２１】
次に、上述した簡易ダスト除去装置１を用いてガス冷却室２の水噴霧ノズル周囲の壁面に付着・堆積したダストを除去する場合について説明する。
【００２２】
先ず、水噴霧ノズルをノズル取付け用管台４から取り外すと共に、水噴霧ノズルを取り外したノズル取付け用管台４に簡易ダスト除去装置１を挿入し、ガイド体７のフランジ部７ｂをノズル取付け用管台４のフランジ部４ｂにボルト等の緊締具を用いて固定する。これによって、簡易ダスト除去装置１が水噴霧ノズルに換えてノズル取付け用管台４に取り付けられることになる。このとき、掻き取り板１０は、ノズル取付け用管台４に容易に挿入できるように回転軸９に対して一直線状になる直線位置（図１に示す位置）にしておく。又、操作ハンドル１１は、非操作位置（図１に示す位置）にしておく。更に、ごみ焼却炉等の運転時には、ガス冷却室２内が負圧に保持されているため、水噴霧ノズルを取り外してもノズル取付け用管台４から排ガスが外方へ漏出すると云うことがなく、ごみ焼却炉等の運転中であっても、水噴霧ノズルと簡易ダスト除去装置１の交換を行える。
【００２３】
ノズル取付け用管台４に簡易ダスト除去装置１を取り付けたら、非操作位置にある操作ハンドル１１を操作して回転軸９が少なくとも一回転するように回転軸９をゆっくりと回転させる。そうすると、掻き取り板１０を回転軸９に取り付けるピン１９が水平姿勢になったときに掻き取り板１０が自重により下方へ折れ曲がって水噴射ノズル周囲の壁面に沿う掻き取り位置（図２に示す位置）を取る。
【００２４】
この状態で非操作位置にある操作ハンドル１１を操作位置（図２に示す位置）に揺動操作する。そうすると、操作ハンドル１１に設けたカム板１１ｃが回転軸９を基端部方向へスライドさせ、掻き取り位置にある掻き取り板１０の基端部を支持筒の先端部端面（内側の滑り軸受１５の内輪１５ａ端面）へ押圧して掻き取り板１０を掻き取り位置にロックする。
【００２５】
その後、回転軸９及び掻き取り板１０等を支持する支持体８をガス冷却室２の外方側へスライドさせて掻き取り位置にある掻き取り板１０を水噴霧ノズル周囲の壁面に当接させると共に、支持体８を位置決めボルト１２によりガイド体７側へ固定して位置決めする。
【００２６】
そして、操作位置にある操作ハンドル１１を回転操作して回転軸９及び掻き取り板１０を回転させる。そうすると、掻き取り位置にある掻き取り板１０が水噴霧ノズル周囲の壁面に付着・堆積したダストを掻き落す。このとき、掻き取り板１０が水噴霧ノズル周囲の壁面に当接した状態で回転するため、水噴霧ノズル周囲の壁面に付着・堆積したダストを一気に掻き落すことができ、ダストの掻き落し作業を短時間で行える。
【００２７】
水噴霧ノズル周囲の壁面に付着・堆積したダストの除去作業が終了すれば、操作位置にある操作ハンドル１１を非操作位置に揺動操作して掻き取り板１０のロック状態を解除すると共に、ガイド体７をノズル取付け用管台４から取り外し、簡易ダスト除去装置１をノズル取付け用管台４から抜き取る。このとき、掻き取り板１０は、ロック状態が解除されて回転軸９に対して揺動可能となっているため、ノズル取付け用管台４から容易に引き抜くことができる。又、簡易ダスト除去装置１をノズル取付け用管台４から取り外しても、ガス冷却室２内が負圧に保持されているため、ノズル取付け用管台４から排ガスが漏出すると云うことがない。
【００２８】
簡易ダスト除去装置１を取り外した後は、ノズル取付け用管台４に水噴霧ノズルを取り付け、当該水噴霧ノズルからガス冷却室２内の高温の排ガスに水を噴霧して排ガスの温度を低下させる運転を行うようにする。
【００２９】
このように、前記簡易ダスト除去装置１に於いては、簡易ダスト除去装置１のノズル取付け用管台４への取り付け、簡易ダスト除去装置１のノズル取付け用管台４からの取り外し、簡易ダスト除去装置１による水噴霧ノズル周囲のダストの除去作業をガス冷却室２の外側から行えるため、前記各作業をごみ焼却炉等の運転を停止せずに行える。
又、この簡易ダスト除去装置１は、操作ハンドル１１を揺動操作するだけで掻き取り板１０を掻き取り位置にロックしたり、或いは掻き取り板１０のロックを解除したりすることができるため、掻き取り板１０のロック及び解除を簡単且つ容易に行え、操作性及び取扱性に極めて優れている。
更に、この簡易ダスト除去装置１は、掻き取り板１０及び操作ハンドル１１が回転軸９に揺動可能に取り付けられて折り畳み式となっているため、持ち運び等にも極めて便利である。
【図面の簡単な説明】
【００３０】
【図１】本発明の実施の形態に係る簡易ダスト除去装置をノズル取付け用管台に取り付けた状態の縦断面図である。
【図２】簡易ダスト除去装置によりダストを除去する状態を示す縦断面図である。
【図３】従来のノズル部清掃装置の縦断面図である。
【図４】従来のノズル部清掃装置をガス冷却室の壁部に取り付けてダストを除去する状態を示す縦断面図である。
【符号の説明】
【００３１】
１は簡易ダスト除去装置、２はガス冷却室、３はガス冷却室の壁部、４はノズル取付け用管台、７はガイド体、８は支持体、９は回転軸、１０は掻き取り板、１１は操作ハンドル、１１ｃはカム板。
【図１】
0004771826.tif 000002
【図２】
0004771826.tif 000003
【図３】
0004771826.tif 000004
【図４】
0004771826.tif 000005